(57)【特許請求の範囲】
【請求項１】
セル固有のベーシックミッドアンブルコードを単位シフト量ずつ巡回シフトして形成した各通信端末固有の複数のミッドアンブルコードを、同一時間に多重することにより得たミッドアンブル信号を含む信号を無線基地局から受信し、当該ミッドアンブル信号に基づいて自局宛の信号及び他局宛の信号のパスを検出するパス検出装置であって、
受信信号に含まれる前記複数のミッドアンブル信号と、予め用意された前記セル固有のベーシックミッドアンブルコードとの相関をとることにより、自局宛及び他局宛の信号の遅延プロファイルを生成する遅延プロファイル生成手段と、
時系列的に現れる自局宛及び他局宛の信号の前記遅延プロファイルを前記ベーシックミッドアンブルコードの単位シフト量に対応する窓幅を有する検出窓に区切って、各検出窓内に現れる遅延プロファイルのピークを検出することにより、自局宛の信号及び他局宛の信号のパスを選択するパス選択手段と、
受信信号のパスの遅延広がりを検出し、当該遅延広がりが前記検出窓を越えているか否か又は前記検出窓を越えた遅延量を検出する窓幅越え検出手段と、
を具備し、前記窓幅越え検出手段による検出結果に基づいて、前記パス選択手段でのパス選択の範囲又はパス選択の仕方を適応的に設定する
ことを特徴とするパス検出装置。
【請求項２】
前記パス選択手段は、前記窓幅越え検出手段によりパスの遅延広がりが前記検出窓に収まっている検出結果が得られた場合には、各検出窓内の全領域でパス選択を行う一方、前記窓幅越え検出手段によりパスの遅延広がりが前記検出窓を越えた検出結果が得られた場合には、前記検出窓を越えた前記遅延量に相当する領域はパス選択領域から除外する
ことを特徴とする請求項１に記載のパス検出装置。
【請求項３】
前記パス選択手段は、
前記遅延プロファイルを、前記ベーシックミッドアンブルコードの単位シフト量に対応する窓幅を有する検出窓幅に区切って、各検出窓内の全領域に現れる遅延プロファイルのピークを検出してパス選択を行う第１のパス選択手段と、
前記遅延プロファイルを、前記ベーシックミッドアンブルコードの単位シフト量に対応する窓幅を有する検出窓幅に区切って、各検出窓内のうち前記検出窓を越えた前記遅延量に相当する領域はパス選択領域から除外して、パス選択を行う第２のパス選択手段と、
前記窓幅越え検出手段の検出結果に基づいて、遅延プロファイル生成手段で形成された遅延プロファイルを、前記第１のパス選択手段又は前記第２のパス選択手段のいずれかに供給する切り替え手段と、
を具備することを特徴とする請求項１に記載のパス検出装置。
【請求項４】
受信した、自局及び他局に固有の拡散コードを用いて拡散された信号を、前記パス選択手段により選択されたパスのタイミングでかつパス選択が行われた検出窓に対応する自局又は他局に固有の拡散コードを用いて逆拡散する逆拡散手段と、
逆拡散後の信号レベルに基づいて、前記選択されたパスが妥当であるか否かを判定する判定手段と、
をさらに具備することを特徴とする請求項１に記載のパス検出装置。
【請求項５】
前記逆拡散手段及び前記判定手段による処理を、前記パス選択手段により選択されたパスのうち、前記窓幅越え検出手段により遅延広がりが前記検出窓を越えていることが検出された領域内で選択されたパスについてのみ行う、
ことを特徴とする請求項４に記載のパス検出装置。
【請求項６】
互いに隣接する検出窓に検出対象となるミッドアンブルコードが割り当てられているか否かを検出する手段を、さらに具備し、隣接する検出窓にミッドアンブルコードが割り当てられていない場合には、前記窓幅越え検出手段によりパスの遅延広がりが前記検出窓を越えた検出結果が得られた場合でも、前記検出窓の全領域でパス選択を行う、
ことを特徴とする請求項２に記載のパス検出装置。
【請求項７】
受信信号が無指向性送信された信号か指向性送信された信号かを判定する送信方法判定手段を、さらに具備し、当該送信方法判定手段により指向性送信である判定結果が得られた場合、前記窓幅越え検出手段により検出された受信信号のパスの遅延広がりを、実際に検出された広がりよりも広いものとする、
ことを特徴とする請求項１に記載のパス検出装置。
【請求項８】
受信信号が無指向性送信された信号か指向性送信された信号かを判定する送信方法判定手段を、さらに具備し、当該送信方法判定手段により指向性送信である判定結果が得られた場合、前記パス選択手段は、前記パス選択領域から除外する領域を広げる、
ことを特徴とする請求項２又は請求項３に記載のパス検出装置。
【請求項９】
前記逆拡散手段及び前記パス判定手段を複数個具備し、当該複数の逆拡散手段及び判定手段による処理を、前記パス選択手段により選択されたパスのうち、前記窓越え検出手段により遅延広がりが前記検出窓を越えていることが検出された領域内で選択されたパスについてのみ行うと共に、前記検出窓を越えていることが検出された領域の広さに応じて用いる逆拡散手段及び判定手段の個数を可変とする、
ことを特徴とする請求項４に記載のパス検出装置。
【請求項１０】
請求項１から請求項９のいずれかに記載のパス検出装置と、当該パス検出装置により検出された自局宛及び他局宛の信号のパス情報に基づいて、受信信号から他局宛の信号を干渉成分として除去する干渉除去手段と、
を具備することを特徴とする通信端末装置。
【請求項１１】
セル固有のベーシックミッドアンブルコードを単位シフト量ずつ巡回シフトして形成した各通信端末固有の複数のミッドアンブルコードを、同一時間に多重することにより得たミッドアンブル信号を含む信号を無線基地局から受信したとき、当該ミッドアンブル信号に基づいて自局宛の信号及び他局宛の信号のパスを検出するパス検出方法であって、
受信信号に含まれる前記複数のミッドアンブル信号と、予め用意された前記セル固有のベーシックミッドアンブルコードとの相関をとったときに、時系列的に現れる自局宛及び他局宛の信号の遅延プロファイルに基づき自局宛及び他局宛の信号のパス選択を行うにあたって、受信信号のパスの遅延広がりに応じて、パス選択の範囲又はパス選択の仕方を適応的に設定する
ことを特徴とするパス検出方法。
【発明の詳細な説明】
【０００１】
【発明の属する技術分野】
本発明はパス検出装置及び通信端末装置に関し、各通信端末に応じてシフト量が選定された受信ミッドアンブル信号に基づき各通信端末宛の信号のパスを検出するパス検出装置及びその検出結果に基づいて受信信号から他局宛の信号を干渉成分として除去する通信端末装置に適用して好適なものである。
【０００２】
【従来の技術】
従来、ディジタル移動体通信システムでは、受信信号中に自局宛の信号に加えて、他局宛の信号が干渉成分として重畳されているため、この干渉成分を除去する必要がある。このため、一般に通信端末装置には干渉除去装置が設けられている。
【０００３】
図２７に、干渉除去装置を備えた通信端末装置が用いられる移動体通信システムの様子を示す。図２７に示す従来の移動体通信システムにおいて、基地局ＢＳは、セルＣＬ内に存在するＫ個の通信端末（図２７では、通信端末Ｕ−１及び通信端末通信端末Ｕ−Ｋのみが示されている）と無線通信を行う。これらの通信端末Ｕ−１〜Ｕ−Ｋは、干渉除去装置を備えている。
【０００４】
ここで基地局ＢＳは、図２８に示すように、各通信端末に固有の拡散符号により拡散された情報信号（図中のデータ部）と、各通信端末に固有のミッドアンブルコードとを、各通信端末Ｕ−１〜Ｕ−Ｋに送信する。このミッドアンブルコードは、各通信端末のチャネル推定を行う際に用いられる。
【０００５】
各通信端末に固有のミッドアンブルコードの生成について、図２９を参照して説明する。図２９は、基地局ＢＳによるミッドアンブルコードの生成方法を示す模式図である。
【０００６】
まず第１に、コード長がＰであるベーシックミッドアンブルコードｍｐを連結させることにより、コード長が２Ｐであるコードが用意される。このベーシックミッドアンブルコードｍｐはセルＣＬに固有のコードであり、セルＣＬ内の全ての通信端末Ｕ−１〜Ｕ−Ｋにとって既知のコードである。
【０００７】
第２に、通信端末Ｕ−１〜Ｕ−Ｋに対して、コード長が２Ｐであるコードにおける基準位置が与えられる。具体的には、通信端末Ｕ−１に対しては、基準位置として、上記コードにおいて一端１に対応する位置が与えられる。通信端末Ｕ−２に対しては、基準位置として、上記コードにおいて一端１に対応する位置を他端２の方向にＷチップ（以下これを単位ミッドアンブルシフト量と呼ぶ）だけずらした位置が与えられる。同様にして、通信端末Ｕ−Ｋに対しては、基準位置として、上記コードにおいて一端１に対応する位置を他端２の方向に（Ｋ−１）Ｗチップだけずらした位置が与えられる。
【０００８】
第３に、通信端末Ｕ−１〜Ｕ−Ｋに対して、上記コードにおける切り出し位置が与えられる。すなわち、上記コードにおいて基準位置を他端２の方向にＰ＋Ｋ−１だけずらした位置が、切り出し位置として与えられる。
【０００９】
最後に、各通信端末毎に、基準位置と切り出し位置を両端としたコード長がＰ＋Ｋ−１であるミッドアンブルコードが形成される。これにより、各通信端末Ｕ−１〜Ｕ−Ｋそれぞれについて、ミッドアンブルシフト量の異なる固有のミッドアンブルコードが生成される。実際には、セル固有のベーシックミッドアンブルコードを単位シフト量ずつ巡回シフトして形成される。
【００１０】
再度、図２７を参照すると、基地局ＢＳは、上述のようにして各通信端末Ｕ−１〜Ｕ−Ｋに固有のミッドアンブルコードを生成し、各通信端末Ｕ−１〜Ｕ−Ｋについてのミッドアンブルコードを同一時間に多重して、セルＣＬ内の各通信端末Ｕ−１〜Ｕ−Ｋに対して送信する。
【００１１】
一方、各通信端末（ここで通信端末Ｕ−１を例に挙げるが、他の通信端末についても同様である）は、受信信号と予め用意されたセル固有の上記ベーシックミッドアンブルコードｍｐとを用いた相関演算を行うことにより、全通信端末に対する送信信号について、図３０（ａ）に示すような遅延プロファイルを生成する。
【００１２】
ここでこの遅延プロファイルを、ベーシックミッドアンブルコードの単位シフト量Ｗに対応する検出窓（図３０の中のＷ）に区切ると、各検出窓Ｗ内には各通信端末宛の信号のパスに相当するピークが現れる。つまり、各通信端末宛のミッドアンブルコードは単位ミッドアンブルシフト量Ｗずつずらされているので、各通信端末（図中ｕｓｅｒ♯１〜ｕｓｅｒ♯Ｋ）についての遅延プロファイルが時系列的にそれぞれ検出窓Ｗ内に収まって現れる。
【００１３】
次に、通信端末Ｕ−１（図中ｕｓｅｒ♯１）は、チャネル推定精度の向上及び演算量の削減を図るために、生成された遅延プロファイルに対するパス限定処理を行う。具体的には、通信端末Ｕ−１は、生成された遅延プロファイルにおいて、存在する全てのパスのうち大きさが閾値以下であるパスを除去することにより、図３０（ｂ）に示すような遅延プロファイルを形成する。
【００１４】
これにより、通信端末Ｕ−１は、パス限定後の遅延プロファイルのうち、左端の検出窓内の遅延プロファイルに現れるパスを自局宛の受信信号のパスとして認識する。また左から２番目の検出窓内の遅延プロファイルに現れるパスを通信端末ｕｓｅｒ♯２宛の受信信号のパスとして認識する。同様に右端の検出窓内の遅延プロファイルに現れるパスを通信端末ｕｓｅｒ♯Ｋ宛のパスとして認識する。この結果、通信端末Ｕ−１（ｕｓｅｒ♯１）は、自局を含めた各通信端末宛の受信信号のパスを認識することができる。
【００１５】
次に、通信端末Ｕ−１（ｕｓｅｒ♯１）は、自局に加えて他局を含めた全受信信号のチャネル推定値と、全通信端末Ｕ−１〜Ｕ−Ｋ（ｕｓｅｒ♯１〜♯Ｋ）に割り当てられた拡散符号とを用いて、既知の技術であるジョイントディテクション処理を行うことにより、受信信号から干渉成分である他局宛の受信信号を除去する。
【００１６】
なお、このようなミッドアンブルコードを用いる移動体通信システムでは、図２９に示す各通信端末を識別する元となる単位ミッドアンブルシフト量Ｗの長さは、次のようにして設定されている。
【００１７】
図２７を参照するに、例えば通信端末Ｕ−１宛の信号は、パス３を介して通信端末Ｕ−１に到達するのみならず、パス４を介して（図ではセルＣＬの端で反射すると仮定する）通信端末Ｕ−１に到達する。この前提のもと、単位ミッドアンブルシフト量Ｗの長さは、各通信端末Ｕ−１〜Ｕ−Ｋ宛の送信信号についての最大遅延時間に対応する長さより大きくなるように設定される。なお、最大遅延時間とは、基地局ＢＳが送信した信号が通信端末に到達するまでの時間に相当し、セルＣＬの半径に基づいて決まる時間である。
【００１８】
【発明が解決しようとする課題】
しかしながら、移動体通信システムにおいては、遅延時間が単位ミッドアンブルシフト量Ｗの長さに対応する時間を越えるパスが発生する可能性がある。遅延時間が単位ミッドアンブルシフト量Ｗを越えた場合、各通信端末宛の信号についての的確なパス検出処理が困難となり、各通信端末における干渉除去処理により得られる信号の品質が劣化することになる。
【００１９】
具体例について、通信端末Ｕ−１（以下ｕｓｅｒ♯１と記載する）に着目して図３１を参照して説明する。図３１（ａ）は、従来の通信端末により生成されたパス限定前の遅延プロファイルを示し、図３１（ｂ）は、パス限定後の遅延プロファイルを示す。
【００２０】
通信端末ｕｓｅｒ♯１が、単位ミッドアンブルシフト量Ｗを越える遅延時間Ｗ１を有するパスを受信した場合には、図３１に示すように、通信端末ｕｓｅｒ♯１宛の信号のパスのうち時間的に後方のパスが通信端末ｕｓｅｒ♯１についての検出窓Ｗ内に現れるのではなく、通信端末ｕｓｅｒ♯２についての検出窓Ｗ内に現れる。
【００２１】
また通信端末ｕｓｅｒ♯２宛の信号のパスのうち時間的に後方のパスが通信端末ｕｓｅｒ♯２についての検出窓Ｗ内に現れるのではなく、通信端末ｕｓｅｒ♯３についての検出窓Ｗ内に現れる。同様に、通信端末ｕｓｅｒ♯Ｋ−１宛の信号のパスのうち時間的に後方のパスが通信端末ｕｓｅｒ♯Ｋ−１について検出窓Ｗ内に現れるのではなく、通信端末ｕｓｅｒ♯Ｋについての検出窓Ｗ内に現れる。
【００２２】
この結果、通信端末ｕｓｅｒ♯１は、自局宛の信号のパスのうち遅延時間Ｗ１を越えるパスＰ１を通信端末♯２宛の信号のパスとして誤認識してしまう。同様に、実際には通信端末ｕｓｅｒ♯２宛の信号のパスであるパスＰ２を通信端末ｕｓｅｒ♯３宛の信号のパスとして誤認識してしまう。さらに、実際には通信端末ｕｓｅｒ♯Ｋ−１宛の信号のパスであるパスＰ３を通信端末ｕｓｅｒ♯Ｋ宛の信号のパスとして誤認識してしまう。
【００２３】
この後、通信端末Ｕ−１は、このような誤認識されたパス情報に基づいて干渉除去のための方程式を解くことになるので、干渉除去を良好に行うことができない。よって、干渉除去処理により得られる信号の品質が劣化することになる。
【００２４】
加えて、基地局ＢＳにおいて、１つの送信用のタイムスロットに、より多くの通信端末を割り当てる場合、すなわち同一時間により多くの通信端末に対する送信を送信する場合には、単位ミッドアンブルシフト量Ｗの長さをより短くする必要がある。このような場合には、遅延時間が単位ミッドアンブルシフト量Ｗを越えるパスが発生する可能性がさらに高くなるので、各通信端末における干渉除去能力がさらに低下することになる。
【００２５】
本発明は、かかる点に鑑みてなされたものであり、受信ミッドアンブル信号から各通信端末宛の信号のパスを的確に検出し得るパス検出装置及び通信端末装置を提供することを目的とする。
【００２６】
【課題を解決するための手段】
かかる課題を解決するため本発明は、以下の構成を採る。
【００２７】
（１）本発明のパス検出装置は、セル固有のベーシックミッドアンブルコードを単位シフト量ずつ巡回シフトして形成した各通信端末固有の複数のミッドアンブルコードを、同一時間に多重することにより得たミッドアンブル信号を含む信号を無線基地局から受信し、当該ミッドアンブル信号に基づいて自局宛の信号及び他局宛の信号のパスを検出するパス検出装置であって、受信信号に含まれる複数のミッドアンブル信号と、予め用意されたセル固有のベーシックミッドアンブルコードとの相関をとることにより、自局宛及び他局宛の信号の遅延プロファイルを生成する遅延プロファイル生成手段と、時系列的に現れる自局宛及び他局宛の信号の遅延プロファイルをベーシックミッドアンブルコードの単位シフト量に対応する窓幅を有する検出窓に区切って、各検出窓内に現れる遅延プロファイルのピークを検出することにより、自局宛の信号及び他局宛の信号のパスを選択するパス選択手段と、受信信号のパスの遅延広がりを検出し、当該遅延広がりが検出窓を越えているか否か又は前記検出窓を越えた遅延量を検出する窓幅越え検出手段と、を具備し、窓幅越え検出手段による検出結果に基づいて、パス選択手段でのパス選択の範囲又はパス選択の仕方を適応的に設定する構成を採る。
【００２８】
この構成によれば、窓幅越え検出手段を設け、当該窓幅越え検出手段による検出結果に基づいて、パス選択手段でのパス選択の範囲又はパス選択の仕方を適応的に設定するようにしたので、遅延広がりが検出窓幅を越える場合に、隣接する検出窓に入り込んだ当該検出窓での検出対象外の通信端末宛の信号のピークを誤って当該検出窓での検出対象である通信端末宛の信号のパスとして選択することが可能となる。この結果、各通信端末宛の信号のパスを的確に検出できるようになる。
【００２９】
（２）本発明のパス検出装置は、（１）において、パス選択手段は、窓幅越え検出手段によりパスの遅延広がりが検出窓に収まっている検出結果が得られた場合には、各検出窓内の全領域でパス選択を行う一方、窓幅越え検出手段によりパスの遅延広がりが検出窓を越えた検出結果が得られた場合には、検出窓を越えた遅延量に相当する領域はパス選択領域から除外する構成を採る。
【００３０】
（３）本発明のパス検出装置は、（１）において、パス選択手段は、遅延プロファイルを、ベーシックミッドアンブルコードの単位シフト量に対応する窓幅を有する検出窓幅に区切って、各検出窓内の全領域に現れる遅延プロファイルのピークを検出してパス選択を行う第１のパス選択手段と、遅延プロファイルを、ベーシックミッドアンブルコードの単位シフト量に対応する窓幅を有する検出窓幅に区切って、各検出窓内のうち検出窓を越えた遅延量に相当する領域はパス選択領域から除外して、パス選択を行う第２のパス選択手段と、窓幅越え検出手段の検出結果に基づいて、遅延プロファイル生成手段で形成された遅延プロファイルを、第１のパス選択手段又は第２のパス選択手段のいずれかに供給する切り替え手段と、を具備する構成を採る。
【００３１】
これらの構成によれば、遅延広がりが検出窓幅を越えた場合に、隣接する検出窓に入り込んだ当該検出窓での検出対象外の通信端末宛の信号のピークを誤って当該検出窓での検出対象である通信端末宛の信号のパスとして選択することを防止できる。この結果、各通信端末宛の信号のパスを的確に検出できるようになる。
【００３２】
（４）本発明のパス検出装置は、（１）の構成に加えて、受信した、自局及び他局に固有の拡散コードを用いて拡散された信号を、パス選択手段により選択されたパスのタイミングでかつパス選択が行われた検出窓に対応する自局又は他局に固有の拡散コードを用いて逆拡散する逆拡散手段と、逆拡散後の信号レベルに基づいて、選択されたパスが妥当であるか否かを判定する判定手段と、をさらに具備する構成を採る。
【００３３】
この構成によれば、パス選択手段により隣接する検出窓に入り込んだ当該検出窓での検出対象外の通信端末宛の信号のピークを誤って当該検出窓での検出対象である通信端末宛の信号のパスとして選択してしまった場合でも、判定手段により、選択されたパスが妥当なパスであるか否か判定するので、一段とパスの誤選択を防止することができるようになる。
【００３４】
（５）本発明のパス検出装置は、（４）において、逆拡散手段及び判定手段による処理を、パス選択手段により選択されたパスのうち、窓幅越え検出手段により遅延広がりが検出窓を越えていることが検出された領域内で選択されたパスについてのみ行う構成を採る。
【００３５】
この構成によれば、実際に隣接する検出窓からパスの漏れ込む可能性の高い領域のみに、逆拡散手段及び判定手段による処理を限定するようにしたので、少ない処理量で効率的にパスの誤選択を防止することができるようになる。
【００３６】
（６）本発明のパス検出装置は、（２）の構成に加えて、互いに隣接する検出窓に検出対象となるミッドアンブルコードが割り当てられているか否かを検出する手段を、さらに具備し、隣接する検出窓にミッドアンブルコードが割り当てられていない場合には、窓幅越え検出手段によりパスの遅延広がりが検出窓を越えた検出結果が得られた場合でも、検出窓の全領域でパス選択を行う構成を採る。
【００３７】
この構成によれば、隣接する検出窓にミッドアンブルコードが割り当てられていない場合には、遅延広がりが検出窓を越えていても隣の検出窓からパスが漏れ込むことはないので、このような場合にはパスの遅延広がりを無視して検出窓の全領域でパス選択を行うようにしたことにより、パスダイバーシチ効果を低下させることなく各通信端末宛の信号のパスを的確に検出することができるようになる。
【００３８】
（７）本発明のパス検出装置は、（１）の構成に加えて、受信信号が無指向性送信された信号か指向性送信された信号かを判定する送信方法判定手段を、さらに具備し、当該送信方法判定手段により指向性送信である判定結果が得られた場合、窓幅越え検出手段により検出された受信信号のパスの遅延広がりを、実際に検出された広がりよりも広いものとする構成を採る。
【００３９】
この構成によれば、指向性送信によりパス位置がタイムスロット毎、通信端末毎にばらついた場合でも、遅延広がりとして認識する領域を広めにしたので、指向性送信時に隣接する検出窓に入り込んだ当該検出窓での検出対象外の通信端末宛の信号のピークを誤って当該検出窓での検出対象である通信端末宛の信号のパスとして選択することを防止できるようになる。
【００４０】
（８）本発明のパス検出装置は、（２）又は（３）の構成に加えて、受信信号が無指向性送信された信号か指向性送信された信号かを判定する送信方法判定手段を、さらに具備し、当該送信方法判定手段により指向性送信である判定結果が得られた場合、パス選択手段は、パス選択領域から除外する領域を広げる構成を採る。
【００４１】
この構成によれば、指向性送信によりパス位置がタイムスロット毎、通信端末毎にばらついた場合でも、指向性送信時にはパス選択手段でパス選択領域から除外する領域を広げるので、指向性送信時でも隣接する検出窓に入り込んだ当該検出窓での検出対象外の通信端末宛の信号のピークを誤って当該検出窓での検出対象である通信端末宛の信号のパスとして選択することを防止できるようになる。
【００４２】
（９）本発明のパス検出装置は、（４）において、逆拡散手段及びパス判定手段を複数個具備し、当該複数の逆拡散手段及び判定手段による処理を、パス選択手段により選択されたパスのうち、窓越え検出手段により遅延広がりが検出窓を越えていることが検出された領域内で選択されたパスについてのみ行うと共に、検出窓を越えていることが検出された領域の広さに応じて用いる逆拡散手段及び判定手段の個数を可変とする構成を採る。
【００４３】
この構成によれば、実際に隣のパスが漏れ込んでいる可能性の高い、窓越え検出手段により遅延広がりが検出窓幅を越えていることが検出された領域内で選択されたパスについてのみ、当該パスの妥当性を判定するための逆拡散処理及び判定処理を行うので、誤選択されたパスを少ない処理量で効率的に除去できる。加えて、検出窓を越えていることが検出された領域の広さに応じて、用いる逆拡散手段及び判定手段の個数を可変としたので、この領域内に存在するパス数が多いほど多くの逆拡散手段及び判定手段を用いて妥当なパスの判定を行うことができるようになり、検出できるパス数を増やすことができるようになる。
【００４４】
（１０）本発明の通信端末装置は、（１）から（９）のいずれかのパス検出装置と、当該パス検出装置により検出された自局宛及び他局宛の信号のパス情報に基づいて、受信信号から他局宛の信号を干渉成分として除去する干渉除去手段とを具備する構成を採る。
【００４５】
この構成によれば、遅延広がりが検出窓幅を越える場合でも、パス検出装置により的確に検出された各通信端末宛の信号のパス情報を用いて、干渉除去手段により干渉成分を除去できるので、品質の良い自局宛の信号を得ることができる。
【００４６】
（１１）本発明のパス検出方法は、セル固有のベーシックミッドアンブルコードを単位シフト量ずつ巡回シフトして形成した各通信端末固有の複数のミッドアンブルコードを、同一時間に多重することにより得たミッドアンブル信号を含む信号を無線基地局から受信したとき、当該ミッドアンブル信号に基づいて自局宛の信号及び他局宛の信号のパスを検出するパス検出方法であって、受信信号に含まれる前記複数のミッドアンブル信号と、予め用意された前記セル固有のベーシックミッドアンブルコードとの相関をとったときに、時系列的に現れる自局宛及び他局宛の信号の遅延プロファイルに基づき自局宛及び他局宛の信号のパス選択を行うにあたって、受信信号のパスの遅延広がりに応じて、パス選択の範囲又はパス選択の仕方を適応的に設定する。
【００４７】
この方法によれば、遅延広がりが検出窓幅を越えた場合に、隣接する検出窓に入り込んだ当該検出窓での検出対象外の通信端末宛の信号のピークを誤って当該検出窓での検出対象である通信端末宛の信号のパスとして選択することを防止できる。この結果、各通信端末宛の信号のパスを的確に検出できるようになる。
【００４８】
【発明の実施の形態】
本発明の骨子は、受信信号に含まれる複数のミッドアンブル信号と、予め用意されたセル固有のベーシックミッドアンブルコードとの相関をとったときに、時系列的に現れる自局宛及び他局宛の信号の遅延プロファイルに基づき自局宛及び他局宛の信号のパス選択を行うにあたって、受信信号のパスの遅延広がりに応じて、パス選択の範囲又はパス選択の仕方を適応的に設定することである。
【００４９】
以下、本発明の実施の形態について図面を参照して詳細に説明する。
【００５０】
（実施の形態１）
図１に、本発明の実施の形態１に係るパス検出装置を有する通信端末装置の構成を示す。通信端末装置１００は、アンテナ１０１で受信した受信信号を受信ＲＦ部１０２に入力する。受信ＲＦ部１０２は受信信号に対して周波数変換等を含む受信処理を行うことにより、Ｉｃｈのベースバンド信号（同相成分）及びＱｃｈのベースバンド信号（直交成分）を生成する。
【００５１】
Ａ／Ｄ変換器１０３（１０４）は、Ｉｃｈ（Ｑｃｈ）のベースバンド信号に対してＡ／Ｄ変換を行うことにより、Ｉｃｈ（Ｑｃｈ）のディジタルベースバンド信号を生成する。メモリ１０５は生成されたＩｃｈ及びＱｃｈのディジタルベースバンド信号を記憶し、記憶したディジタルベースバンド信号をタイミング制御部１１４からの制御信号に基づいて、遅延プロファイル生成手段としてのマッチトフィルタ（ＭＦ）１０８及び干渉除去部１１６に出力する。
【００５２】
ＭＦ１０８は、コード生成部１０７により生成されたコードと受信信号との相関をとることにより遅延プロファイルを生成する。生成された遅延プロファイルは、メモリ１０９に蓄積される。
【００５３】
窓幅越え検出部１１０は、図２（ａ）に示すように、メモリ１０９に蓄積された遅延プロファイルに基づいて、遅延広がりτｋが、各通信端末のパスを検出するための検出窓幅ＷＮ内に収まっているか否かを検出する。窓幅越え検出部１１０は検出結果に応じたスイッチング制御信号をスイッチ（ＳＷ）１１１に送出する。
【００５４】
具体的には、遅延広がりτｋが窓幅内に収まっている検出結果を得た場合には、メモリ１０９に蓄積された遅延プロファイルをＳＷ１１１を介して第１のパス選択手段としてのパス選択部１１２に入力させ、遅延広がりτｋが検出窓幅ＷＮ内に収まっていない検出結果を得た場合には、メモリ１０９に蓄積された遅延プロファイルをＳＷ１１１を介して第２のパス選択手段としての誤動作防止パス選択部１１３に入力させる。
【００５５】
パス選択部１１２は通常のパス選択処理を行う。すなわち図３０に示すように、遅延プロファイルを単位ミッドアンブルシフト量Ｗに対応した検出窓Ｗに区切り、各検出窓内に現れる所定値以上のピークを各通信端末宛の信号のパスとして選択する。
【００５６】
パス選択部１１２は、パス選択されない部分（つまり、所定値以上のパスが検出されなかった部分）を０にマスクした遅延プロファイル情報をスイッチ（ＳＷ）１１５を介して干渉除去部１１６に送出すると共に、パスタイミング情報をタイミング制御部１１４に送出する。
【００５７】
これに対して誤動作防止パス選択部１１３は、メモリ１０９からＳＷ１１１を介して検出窓幅を越えるような遅延プロファイルを入力すると共に、窓幅越え検出部１１０から遅延広がりが検出窓を越えた遅延量αを入力する。
【００５８】
誤動作防止パス選択部１１３は、図３に示すように、通信端末ｕｓｅｒ♯１については検出窓ＷＮ内の全領域で所定値以上のピークをパスとして選択するが、他の通信端末ｕｓｅｒ♯２〜ｕｓｅｒ♯Ｋについては検出窓ＷＮの先頭位置から（α＋Δｔ）の領域はパス選択対象領域から除外して、（ＷＮ−α−Δｔ）の領域で閾値以上のピークをパスとして選択する。
【００５９】
これにより、図２（ａ）に示すように、遅延広がりτｋが検出窓幅ＷＮを越えて遅延プロファイルのピークが隣の検出窓に現れてしまう場合に、このピークを誤って隣の検出窓に対応する通信端末ｕｓｅｒ♯２のパスとして誤選択してしまうことを防止できるようになる。
【００６０】
因みに、図中Δｔはマージンであり、この実施の形態では、窓幅越え検出部１１０によって実際に検出された検出窓を越える遅延量αにマージンΔｔを加えた領域をパス選択領域から除外するようにしたことにより、一段とパスの誤選択を防止できるようになる。但し、マージンΔｔをあまり大きく設定しすぎると、パスの検出範囲が小さくなってしまうので、マージンΔｔの選定にはこれを配慮する必要がある。
【００６１】
このように誤動作防止パス選択部１１３は、最初の検出窓を除く他の検出窓において、０〜α＋Δｔの区間は、パス選択をせずに無条件で０にマスクし、かつα＋Δｔ〜ＷＮの区間は、パス選択されない部分を０にマスクする。そしてこれにより得た遅延プロファイル情報をＳＷ１１５を介して干渉除去部１１６に送出すると共に、パスタイミング情報をタイミング制御部１１４に送出する。
【００６２】
干渉除去部１１６はメモリ１０５から受信信号を入力すると共に、タイミング制御部１１４からパスタイミング情報を、パス選択部１１２又は誤動作防止パス選択部１１３から遅延プロファイル情報をそれぞれ入力する。そして干渉除去部１１６は、ジョイントディテクション処理を行うことにより、受信信号の中から他局宛の信号を除去して自局宛の信号のみを抽出する。ここでジョイントディテクション処理は既知の技術であるため詳述しないが、概略すると以下のような処理を行う。
【００６３】
ジョイントディテクション処理は、各通信端末毎のパス検出結果と、各通信端末に割り当てられた拡散コードと、の畳み込み演算結果を行列配置したシステムマトリクスを用いて所定の行列演算を行い、その行列演算結果を受信信号のデータ部分に乗算することにより、干渉を除去して復調信号を取り出すものである。ジョイントディテクション処理を用いると、逆拡散及びＲＡＫＥ合成を行うことなく、干渉を除去した信号を得ることができる。ジョイントディテクション処理により自局宛の信号のみが抽出された受信信号は、復調部１１７により受信データとされる。
【００６４】
次に、通信端末装置１００が実際の移動体通信システムに配置された場合の各部の詳細な処理について説明する。
【００６５】
ここでこの実施の形態では、通信方式としてＴＤＤ（Ｔｉｍｅ  Ｄｉｖｉｓｉｏｎ  Ｄｕｐｌｅｘ）方式の通信を行う場合について説明する。図４に示すように、基地局は、先ず、制御チャネルが割り当てられているタイムスロットＴＳ♯０で制御情報を送信し、タイムスロットＴＳ♯３でデータを送信するものとする。またタイムスロットＴＳ♯３でも、タイムスロットＴＳ♯０と同様に、データ部の間にミッドアンブル信号を挿入した信号を送信するものとする。
【００６６】
但し、タイムスロットＴＳ♯０では、図２（ａ）に示すように、検出窓を越える遅延広がりも検出できるようにするために、例えばある通信端末ｕｓｅｒ♯１に制御チャネルのミッドアンブルコードを割り当てた場合、隣の通信端末であるｕｓｅｒ♯２にはミッドアンブルコードを割り当てを行わないようになっている。これに対して、タイムスロットＴＳ♯３では、通常通り、複数の通信端末に対応した複数のミッドアンブルコードを同一時間に多重して送信する。
【００６７】
ここでタイムスロットＴＳ♯０の受信信号のパス位置とタイムスロットＴＳ♯３の受信した信号のパス位置は同一であると見なすことができる。何故なら、タイムスロットＴＳ♯０とタイムスロットＴＳ♯３は数〜数十ｍｓ程度の時間間隔しか離れていないためである。つまり、通信端末が移動していたとしても送信点と受信点はほぼ同一と考えられるため、伝搬遅延で決まるパス位置は、タイムスロットＴＳ♯０とタイムスロットＴＳ♯３でほぼ同一であるからである。
【００６８】
メモリ１０９に蓄積されたタイムスロットＴＳ♯０の遅延プロファイルは、図２（ａ）のようになる。因みに、タイムスロットＴＳ♯０には、セル内にいるユーザ全てが電源投入時から初期セルサーチを行い、最初に受信する制御チャネルが割り当てられている。通信端末装置１００では、タイムスロットＴＳ♯０の信号に基づいて、その後の検出窓幅ＷＮ、チャネライゼーションコード、ミッドアンブルコードシフト量（ユーザ番号）などの復調に必要なリソースを取得する。
【００６９】
通信端末装置１００においては、窓幅越え検出部１１０により、制御チャネルの割り当てられている上記制約のあるタイムスロットＴＳ♯０を用いて、続くタイムスロットＴＳ♯Ｎ（例えばタイムスロットＴＳ♯３）での通信チャネルの遅延広がりを推定する。
【００７０】
次にこの実施の形態の通信端末装置１００の動作について、図５を参照して説明する。通信端末装置１００は、パス選定処理を開始すると、ステップＳＴ１０１及びステップＳＴ１０２に移る。通信端末装置１００はステップＳＴ１０１において、タイムスロットＴＳ♯ｋの受信信号に対してマッチトフィルタ１０８によりベーシックミッドアンブルコードとの相関値を求めることにより、遅延プロファイルを生成する。同様にステップＳＴ１０２では、タイムスロットＴＳ♯Ｎの受信信号に対してマッチトフィルタ１０８によりベーシックミッドアンブルコードとの相関値を求めることにより、遅延プロファイルを生成する。
【００７１】
ここでタイムスロットＴＳ♯ｋとタイムスロットＴＳ♯Ｎは、パス位置がほぼ同一あるような時間的に近いタイムスロットであるとする。但し、タイムスロットＴＳ♯ｋで受信される信号は、どのような遅延広がりにも対応できるように、例えば通信端末ｕｓｅｒ♯１にミッドアンブルコードが割り当てられると、隣の通信端末ｕｓｅｒ♯２には、ミッドアンブルコードが割り当てられていないものとする。
【００７２】
これにより、通信端末ｕｓｅｒ♯１の遅延プロファイルのピークを検出するための窓幅を２×ＷＮとすることができるので、遅延広がりτｋが単位ミッドアンブルシフト量Ｗを越えた場合でも、遅延広がりτｋを的確かつ容易に検出することができるようになっている。一方、タイムスロットＴＳ♯Ｎで受信される信号は、通常通り、単位ミッドアンブルシフト量Ｗずつシフトされ、同一時間で多重されたミッドアンブル信号であるとする。通信端末装置１００は、ステップＳＴ１０１で生成された遅延プロファイル及びステップＳＴ１０２で生成された遅延プロファイルをメモリ１０９に格納する。
【００７３】
ステップＳＴ１０３では、窓幅越え検出部１１０が、ステップＳＴ１０１で生成された遅延プロファイルに基づいて、最長遅延波のパスタイミングτｋを検出する。具体的には、先ず遅延プロファイルのピークのうち所定の閾値以上のピークを検出し、閾値以上のピークのうち最も時間的に遅いピークを最長遅延波のパスタイミングτｋとする。
【００７４】
ステップＳＴ１０４では、窓幅越え検出部１１０が、ステップＳＴ１０３で検出した最長遅延波のパスタイミングτｋと検出窓幅ＷＮ（単位ミッドアンブルシフト量Ｗに相当する）とを比較することにより、遅延広がりτｋが検出窓幅ＷＮ内で収まっているか否かを判断する。
【００７５】
通信端末装置１００は、遅延広がりτｋが検出窓幅ＷＮ内に収まっている場合には、ステップＳＴ１０４で肯定結果を得てステップＳＴ１０５に移って、以降通常のパス選択処理を行う。すなわち、先ずステップＳＴ１０５において、ステップＳＴ１０２で生成されたメモリ１０９に記憶されている遅延プロファイルをＳＷ１１１を介してパス選択部１１２に出力する。
【００７６】
そしてパス選択部１１２により、遅延プロファイルを検出窓幅ＷＮで区切って、各検出窓ＷＮ内での閾値以上のピークを検出することにより、自局以外の各通信端末のパスを選択する。続くステップＳＴ１０６では、パス選択されなかった部分を０にマスキング処理した遅延プロファイル情報を干渉除去部１１６に送出する。
【００７７】
これに対して通信端末装置１００は、遅延広がりτｋが検出窓ＷＮを越えている場合には、ステップＳＴ１０４からステップＳＴ１０８に移る。ステップＳＴ１０８では、メモリ１０９に記憶されているステップＳＴ１０２で生成された遅延プロファイルをＳＷ１１１を介して誤動作防止パス選択部１１３に出力する。そして誤動作防止パス選択部１１３により、図２（ｂ）に示すように、検出窓幅ＷＮを越えている遅延量αにさらに、少しマージンΔｔを含め、隣の通信端末宛の信号の遅延波が漏れ込む可能性の高い区間としてα＋Δｔを設定し、α＋Δｔ〜ＷＮの区間を通常の閾値判定によるパス選択を行う区間とし、この区間でパス選択を行う。
【００７８】
ステップＳＴ１０９では、０〜α＋Δｔの区間を無条件で０にマスクし、α＋Δｔ〜ＷＮの区間はパス選択されない部分を０にマスクし、干渉除去部１１６に遅延プロファイル情報を、タイミング制御部１１４にパスタイミング情報をそれぞれ送出する。
【００７９】
また通信端末装置１００は、ステップＳＴ１０６又はステップＳＴ１０９の処理を終了した後、ステップＳＴ１０１及びステップＳＴ１０２に戻って続くタイムスロットの受信信号に対して同様のパス選択処理を繰り返すと共に、ステップＳＴ１０７に進んでパス検出結果を用いた干渉除去処理を行う。
【００８０】
ステップＳＴ１０７では、干渉除去部１１６が入力された遅延プロファイル情報に示されているパス情報を使って、受信信号から他局宛の信号を除去することにより、自局宛の信号のみを抽出する。そして通信端末１００はステップＳＴ１０７で当該処理を終了する。
【００８１】
以上の構成によれば、窓幅越え検出部１１０によって受信信号の遅延広がりが検出窓を越えているか否か及び越えている場合にはその遅延量αを検出し、検出窓を越えた遅延広がりの遅延量αに応じてパス選択を行わない領域α＋Δｔを設けたことにより、遅延広がりが大きい場合に、隣接する検出窓に入り込んだ当該検出窓での検出対象外の通信端末宛の信号のピークを誤って当該検出窓での検出対象である通信端末宛の信号のパスとして選択することを防止できる。この結果、各通信端末宛の信号のパスを的確に検出することができる。これにより、干渉除去を良好に行うことができるので、品質の良い自局宛の受信信号を得ることができるようになる。
【００８２】
例えば、置局設計が甘く、遅延広がりが、検出窓幅を越え隣の通信端末からのパスの漏れ込みがある場合でも、安定的に干渉除去を行うことができるようになるので、安定したシステムの構築が可能となる。
【００８３】
（実施の形態２）
上述した実施の形態１では、遅延広がりτｋが検出窓幅ＷＮを越えたときに、検出窓ＷＮを越えた部分（０〜α＋Δｔの区間）を０にマスクすることにより、この部分のパス選択を行わない場合について述べたが、この実施の形態では、この部分のパス選択を行うことができる通信端末装置を提案する。
【００８４】
つまり、本発明の発明者らは、検出窓ＷＮを越えた部分（０〜α＋Δｔの区間）を無条件にマスクしてしまったのでは、例えば図７（ｂ）に示すように通信端末ｕｓｅｒ♯２のパスが０〜α＋Δｔの区間に含まれた場合には、パスダイバーシチ効果が低下し、その分だけ、全てのパスを的確に検出した場合と比較して、干渉除去後の信号品質が劣化すると考えた。そこで、この実施の形態では、０〜α＋Δｔの区間を実施の形態１のように無条件に０にマスクするのではなく、実際に通信端末ｕｓｅｒ＃２宛の信号のパスであるか否かを判定できるようにする。
【００８５】
図１との対応部分に同一符号を付して示す図６は、本発明の実施の形態２に係る通信端末装置２００の構成を示す。通信端末装置２００の誤動作防止パス選択部２０１は、図８に示すように、０〜α＋Δｔの区間のパス選択も行い、パスタイミング情報をタイミング制御部１１４に送出する。この際、誤動作防止パス選択部２０１は、パスタイミング情報として、検出したパスのタイミングに加えて（α＋Δｔ）の情報も送るものとする。
【００８６】
タイミング制御部１１４は、０〜α＋Δｔの区間で現れたパスのタイミングを示すタイミング信号をコード制御部１０６に送出する。コード制御部１０６は、コード生成部１０７に対して、０〜α＋Δｔの区間で現れたパスのタイミングに同期して、通信端末ｕｓｅｒ♯２のデータ部の拡散コードとして使われているスクランブリングコードとチャネライゼーションコードを生成させる制御信号を送出する。同時に、窓幅越え検出部１１０は、スイッチ（ＳＷ）２０２を相関部２０３に切り替える。
【００８７】
この結果、相関部２０２では、０〜α＋Δｔの区間のパスタイミング毎に、通信端末ｕｓｅｒ♯２のデータ部とこのデータ部の拡散コードとの相関演算が行われる。すなわち通信端末ｕｓｅｒ♯２のデータ部の逆拡散処理が行われる。電力化部２０４は相関部２０３の出力を用いて相関値を電力化する。パス判定部２０５は相関電力の閾値判定を行い、閾値を越えた場合に、当該パスが処理対象となっている検出窓で選択されるパスとして妥当であると判定する。
【００８８】
つまり、ミッドアンブルコードの遅延プロファイルによりパスが検出されたタイミングが実際にその通信端末宛の信号のパスタイミングであれば、検出されたタイミングでスクランブリングコード及びチャネライゼーションコードを使ってデータ部を逆拡散すれば所定値以上の信号レベルが得られるはずである。
【００８９】
一方、ミッドアンブルコードの遅延プロファイルによりパスが検出されたタイミングが実際にはその通信端末宛の信号のパスタイミングでなければ、検出されたタイミングでスクランブリングコード及びチャネライゼーションコードを使ってデータ部を逆拡散したときに所定値以上の信号レベルを得ることはできない。この実施の形態では、この関係を利用して、０〜α＋Δｔの区間で現れる所定値以上のピークがその検出窓で選択されるパスとして妥当であるか否かを判定するようになっている。
【００９０】
パス判定部２０５により、妥当なパスであると判定されたパスタイミング情報は、誤動作防止パス選択部２０１に送出される。誤動作パス選択部２０１は、パス判定部２０５から入力されたパスタイミング情報に基づき、０〜α＋Δｔの区間で検出した複数のパスのうちパス判定部２０５により妥当と判定されたパス以外のパスは０にマスクする。これにより、図８に示すように、他の通信端末宛の信号のパスが漏れ込んだ０〜α＋Δｔの区間から検出目標である通信端末ｕｓｅｒ♯２のパスのみを選択できるようになる。
【００９１】
通信端末装置２００では、この処理を干渉対象である全ての通信端末ｕｓｅｒ♯２〜♯Ｋに対して行って、パス位置以外をマスクした遅延プロファイル情報を干渉除去部１１６に出力し、干渉除去を行う。なお、ミッドアンブルコードとしてデフォルトミッドアンブルコードが用いられている場合には、ミッドアンブルコードに基づいて容易に他局のチャネライゼーションコードを特定することができる。
【００９２】
次に通信端末装置２００の動作について、図９を用いて説明する。図５との対応部分に同一符号を付して示す図９において、この実施の形態の通信端末装置２００は、ステップＳＴ１０４で遅延広がりが検出窓幅ＷＮを越えていると判断すると、ステップＳＴ１０８及びステップＳＴ２０１に移る。ステップＳＴ１０８では、検出窓０〜ＷＮの中で遅延広がりの影響の無い領域（α＋Δｔ〜ＷＮ）でのパス選択を行う。
【００９３】
これに対してステップＳＴ２０１では、検出窓０〜ＷＮの中で遅延広がりの影響のある領域（０〜α＋Δｔ）でのパス選択を行う。このステップＳＴ２０１で選択されたパスの中には隣接する検出窓から漏れ込んだ他局宛の信号のパスが含まれている可能性が高い。そこでステップＳＴ２０２では、ステップＳＴ２０１で選択されたパスタイミングで現在パス検出対象となっている通信端末のスクランブリングコード及びチャネライゼーションコードを用いてデータ部の相関演算処理（逆拡散処理）を行う。
【００９４】
ステップＳＴ２０３では、相関電力を所定の閾値と比較することにより、ステップＳＴ２０１で選択されたパスのうち、現在パス選択対象となっている通信端末のパスを選択する。すなわち相関電力が閾値よりも大きいパスのみを選択する。
【００９５】
ステップＳＴ２０４では、遅延プロファイル中で、ステップＳＴ２０３でパス選択されなかった部分及びステップＳＴ１０８でパス選択されなかった部分を０にマスクする。
【００９６】
このようにして、通信端末装置２００においては、隣接する検出窓に入り込んだ他の通信端末宛の信号のパスを誤って当該検出窓での検出対象である通信端末宛の信号のパスとして選択してしまった場合でも、選択されたパスが妥当なパスであるか否か判定できる。
【００９７】
以上の構成によれば、ミッドアンブルコードを用いたパス選択だけでなく、ミッドアンブルコードを用いて選択したパスについて、再度チャネライゼーションコードを用いてデータ部を逆拡散することでパスの妥当性を判定して、最終的なパスを選択するようにしたことにより、遅延広がりが大きい場合でも、パスの誤選択を回避することができる。
【００９８】
さらに、ミッドアンブルコードを用いたパス選択だけでなく、ミッドアンブルコードを用いて選択したパスについて、再度チャネライゼーションコードを用いてデータ部を逆拡散することでパスの妥当性を判定して、最終的なパスを選択するといった処理を、検出窓内で他のパスが現れる可能性が高い領域０〜α＋Δｔについて行うようにしたことにより、実質的にパスの誤選択が生じ易い領域に絞り込んだ処理を行うことができるので、処理量を低減させて、効率的かつ的確なパス検出処理が可能となる。
【００９９】
また実施の形態１の効果に加えて、検出できるパス数を増加させることができる。この結果、パスダイバーシチ効果を低下させることなく、干渉除去後の信号を品質を一段と向上させることができる。
【０１００】
（実施の形態３）
上述した実施の形態１では、図１０（ａ）に示すように、タイムスロットＴＳ♯０で検出した遅延広がりτｋが検出窓幅ＷＮを越えたときに、検出窓を越えた部分を０にマスクすることにより、この部分のパス選択を行わない場合について述べたが、この実施の形態では、検出窓を越えた部分（０〜α＋Δｔ）の区間に対して無条件にパス選択を行わないのではなく、図１０（ｂ）に示すように、隣接する検出窓で検出対象となるミッドアンブルコードが割り当てられていない場合には（０〜α＋Δｔ）の区間でのマスク処理を行わず、隣接する検出窓で検出対象となるミッドアンブルコードが割り当てられている場合には実施の形態１と同様に検出窓を越えた部分（０〜α＋Δｔ）の区間に対してパス選択を行わない通信端末装置を提案する。
【０１０１】
つまり、実施の形態１では、タイムスロットＴＳ♯０で検出窓の窓幅ＷＮを越える遅延広がりτｋが検出されると、検出窓ＷＮを越えた領域（α＋Δｔ）は、無条件で０にマスクするようにしている。しかし、隣の検出窓での検出対象となる単位ミッドアンブルシフト量だけシフトされたミッドアンブルコードが使われていない（つまり隣の検出窓に対応する通信端末が存在しない）場合には、検出対象となっている検出窓内には隣接する通信端末宛のパスは漏れ込まないので、検出窓を越えた領域（α＋Δｔ）を０にマスクして検出領域から除外しなくても、的確なパス選択ができるようになり、パスダイバーシチ効果の低下を回避できると考えた。
【０１０２】
またこのようにすれば、実施の形態２では、全ての通信端末数Ｋ分に対して、遅延広がりが検出窓を越えた領域（α＋Δｔ）でのデータ部の逆拡散遅延値を求めているが、隣の検出窓に対応する通信端末が存在しない場合は、隣の検出窓からのパスの漏れ込みは無いので、単純に検出窓内に現れたパスを選択すればよく、処理量を削減できると考えた。
【０１０３】
図１との対応部分に同一符号を付して示す図１１に、本発明の実施の形態３に係る通信端末装置３００の構成を示す。通信端末装置３００は、ユーザ有無検出部３０１を有する。ユーザ有無検出部３０１は、メモリ１０９に蓄積された遅延プロファイルを閾値判定することにより、あるタイムスロット（例えばタイムスロットＴＳ♯３）内に割り当てられている干渉対象である通信端末の有無を検出する。
【０１０４】
この際、ユーザ有無検出部３０１は、図１２に示すように、現在の検出処理対象の通信端末をｕｓｅｒ♯ｋとすると、隣のユーザｋ−１（ｋ＝２，３，…，Ｋ、ｋ＝１のときは、ｋ＝Ｋ）が割り当てられていているか、すなわち隣の通信端末ｕｓｅｒ＃ｋ−１の有無判定を行う。ここで隣の通信端末とは、現在の検出処理対象となっている検出窓よりも時間的に１つ前の検出窓に割り当てられている通信端末のことをいう。この処理は、隣の検出窓内に閾値以上のピークが存在するか否かを検出することで行う。
【０１０５】
なおここでは、ミッドアンブルコードの遅延プロファイルに基づいて隣の検出窓に割り当てられた通信端末が存在するか否か検出するようにしているが、これに限らず、例えばチャネライゼーションコードを判別することで検出してもよく、さらには基地局からの情報に基づいて検出するようにしてもよい。
【０１０６】
隣の通信端末ｕｓｅｒ＃ｋ−１が存在すると、その通信端末ｕｓｅｒ＃ｋ−１の遅延波が現在処理対象となっている通信端末ｕｓｅｒ＃ｋの検出窓内に漏れこむ可能性があるので、その場合にのみ、ユーザ有無検出部３０１は誤動作防止パス選択部３０２に０〜α＋Δｔの区間の遅延プロファイルを０にマスクする（すなわち０〜α＋Δｔの区間でパス選択を行わない）ことを指示する。
【０１０７】
これに対して、ユーザ有無検出部３０１は、隣の通信端末ｕｓｅｒ＃ｋ−１が存在しない検出結果を得ると、誤動作防止パス選択部３０２に０〜α＋Δｔの区間での遅延プロファイルに対するマスク処理の停止を指示する。
【０１０８】
図１２に、この実施の形態での誤動作防止パス選択部３０２の処理の様子を示す。誤動作防止パス選択部３０２は、例えば現在のパス検出対象が通信端末ｕｓｅｒ♯２であれば、隣の通信端末ｕｓｅｒ♯１が存在しないので、０〜α＋Δｔ区間での遅延プロファイルのマスク処理をＯＦＦ制御する。また通信端末ｕｓｅｒ♯ｋの検出区間において誤動作防止パス選択処理がＯＮ制御されるのは、通信端末ｕｓｅｒ＃ｋ−１が割り当てられている場合である。
【０１０９】
次にこの実施の形態の通信端末装置３００の動作を、図１３を用いて説明する。図５との対応部分に同一符号を付して示す図１３において、この実施の形態の通信端末装置３００は、ステップＳＴ１０４で遅延広がりτｋが検出窓幅ＷＮを越えていると判断すると、ステップＳＴ３０１に移る。ステップＳＴ３０１では、ユーザ有無検出部３０１がコードシフトで１つ前の通信端末ｕｓｅｒ♯ｋ−１が存在するか否か検出し、存在しなかった場合には、ステップＳＴ１０５に移り、誤動作防止パス選択部３０２において遅延プロファイルのα＋Δｔの区間に対してマスク処理を行わずに、検出窓内の全領域のパスを選択する。
【０１１０】
これに対して、ステップＳＴ３０１でコードシフトで１つ前の通信端末ｕｓｅｒ♯ｋ−１が存在すると判定された場合には、ステップＳＴ１０８及びステップＳＴ１０９を行うことにより、誤動作防止パス選択部３０２において遅延プロファイルの０〜α＋Δｔの区間に対してマスク処理を行い、α＋Δｔ〜ＷＮの範囲でのみパスを選択する。
【０１１１】
以上の構成によれば、窓幅越え検出部１１０によって受信信号の遅延広がりが検出窓を越えているか否か及び越えている場合にはその遅延量αを検出し、検出窓を越えた遅延広がりの遅延量αに応じてパス選択を行わない領域α＋Δｔを設けるにあたって、１つ前の検出窓に通信端末が割り当てられていない場合には、パス選択を行わない領域を設けずに検出窓内の全領域でパス選択処理を行うようにしたことにより、実施の形態１の効果に加えて、パスダイバーシチ効果を低下させることなく各通信端末のパスを的確に検出することができる。また実施の形態２と比較して、パス検出の処理量を低減することができる。
【０１１２】
（実施の形態４）
この実施の形態の通信端末は、上述した実施の形態２の特徴部分の構成と実施の形態３の特徴部分の構成を組み合わせた構成を有する。これにより、パスダイバーシチ効果を低下させることなく、実施の形態２の利点である隣の検出窓に現れる遅延プロファイルのピークが漏れ込んだ場合でも検出対象のパスを的確に識別できるといった効果と、実施の形態３の利点である遅延広がりが大きい場合でもユーザの割り当て状況に応じてパス選択の処理量を削減できるといった効果を併せ持った通信端末装置を実現することができる。
【０１１３】
図６及び図１１との対応部分に同一符号を付して示す図１４に、本発明の実施の形態４に係る通信端末装置４００の構成を示す。図１４を見れば明らかなように、通信端末装置４００は、実施の形態２の通信端末装置２００と実施の形態３の通信端末３００の構成を組み合わせた構成でなる。
【０１１４】
図９及び図１３との対応部分に同一符号を付して示す図１５を用いて、通信端末装置４００の動作を説明する。通信端末装置４００は、ステップＳＴ１０４で窓越え検出部１１０により遅延広がりτｋが検出窓幅ＷＮを越えていると判断すると、ステップＳＴ３０１に移る。ステップＳＴ３０１では、ユーザ有無検出部３０１がコードシフトで１つ前の通信端末ｕｓｅｒ♯ｋ−１が存在するか否か検出し、存在しなかった場合には、ステップＳＴ１０５に移り、誤動作防止パス選択部４０１において遅延プロファイルのα＋Δｔ区間に対してマスク処理を行わずに、検出窓内の全領域のパスを選択する。
【０１１５】
これに対して、ステップＳＴ３０１でユーザ有無検出部３０１によってコードシフトで１つ前の通信端末ｕｓｅｒ♯ｋ−１が存在すると判定された場合には、ステップＳＴ１０８及びステップＳＴ２０１に移る。
【０１１６】
ステップＳＴ１０８では、誤動作防止パス選択部４０１が検出窓０〜ＷＮの中で遅延広がりの影響の無い領域α＋Δｔ〜ＷＮでのパス選択を行う。一方、ステップＳＴ２０１〜ＳＴ２０３では、誤動作防止パス選択部が検出窓０〜ＷＮの中で遅延広がりの影響のある領域０〜α＋Δｔでのパス選択を行う。この際、ミッドアンブルコードにより０〜α＋Δｔの区間で選択されたパスタイミングでスクランブリングコード及びチャネライゼーションコードを用いてデータ部の逆拡散処理を行うことにより、そのパスが現在パス選択対象となっている通信端末のパスか否かを検出する。
【０１１７】
そしてステップＳＴ２０４において、遅延プロファイル中で、ステップＳＴ２０３でパス選択されなかった部分及びステップＳＴ１０８でパス選択されなかった部分を０にマスクする。
【０１１８】
以上の構成によれば、１つ前の検出窓に通信端末（ユーザ）が割り当てられているか否かに応じて、遅延広がりによるパスが漏れ込む可能性がある領域０〜α＋Δｔに対して特定の処理（誤動作防止パス選択処理）を行うか否かを選択すると共に、１つ前の検出窓に通信端末が割り当てられている場合には、パスが漏れ込む可能性がある領域０〜α＋Δｔにおいてミッドアンブルコードの遅延プロファイル及びデータ部の逆拡散結果を用いてパス選択を行うようにしたことにより、パスダイバーシチ効果を低下させず、かつパス選択の処理量を低減させることができる。
【０１１９】
（実施の形態５）
実施の形態３で説明した図１１との対応部分に同一符号を付して示す図１６に、本発明の実施の形態５に係る通信端末装置５００の構成を示す。通信端末装置５００は、無指向性送信判定部５０１を有することを除いて、実施の形態３の通信端末装置３００と同様の構成でなる。
【０１２０】
先ず、通信端末装置５００の構成を詳述する前に、この実施の形態の通信端末装置５００を提案するに至った過程について説明する。この実施の形態では、基地局の送信方法によって、制御チャネルが割り当てられているタイムスロット（この実施の形態の場合、タイムスロットＴＳ♯０）のパス位置と、通信チャネルが割り当てられているタイムスロット（この実施の形態の場合、タイムスロットＴＳ♯３）のパス位置とが異なる点に着目した。
【０１２１】
実際上、制御チャネルが割り当てられているタイムスロットのパス位置と、通信チャネルが割り当てられているタイムスロットのパス位置とが異なるのは、通信チャネルを指向性送信している場合である。
【０１２２】
そこでこの実施の形態では、通信端末装置５００に通信チャネルが無指向性送信されているか否かを判定する無指向性送信判定部５０１を設け、その判定結果に応じて誤動作防止パス選択部５０２での処理を切り替えるようになっている。
【０１２３】
図１７及び図１８に無指向性送信の場合と指向性送信の場合との相違を示す。図１７に示すように、制御チャネルの送信ダイバーシチは、セル内の通信端末に共通制御情報を送信するものなので、セル内の通信端末全てが受信できるように、常に無指向性で送信されている。一方、図１８に示すように、通信チャネルは、対象の通信端末で最大の利得が得られるように、指向性送信を行う場合がある。
【０１２４】
図１７及び図１８からも明らかなように、２つの送信方法の違いから、制御チャネルと通信チャネルでは伝搬路が異なることがわかる。通信端末にとって、最適なパス位置とは、複数の電波の素波が様々な角度から同時刻に到来し、強め合ったり、弱め合ったりして受信されたときのものである。当然、素波の数や到来方向が異なれば、異なる伝搬路つまり、フェージング環境下となり、パス位置も異なる。
【０１２５】
このように、制御チャネルで窓幅越えを検出し、その越えた量である遅延量αを基準に通信チャネルのパス選択の検出窓幅を設定する場合においては、基地局の送信方法によって、窓幅設定の信頼性が異なる可能性がある。すなわち、制御チャネルと通信チャネルの送信方法が同じ場合には、窓幅設定の信頼性は高いが、制御チャネルと通信チャネルの送信方法が異なる場合には、窓幅設定の信頼性が低くなる。但し、ここでのパス位置とは、フェージングによる瞬時変動のものではなく、ある程度平均化して瞬時のフェージング変動を抑圧した遅延プロファイルから検出したパス位置のことをさしている。
【０１２６】
次に図１９、図２０を用いて、通信端末Ｕ−１でパス検出を行った場合、同一タイムスロット内でも、送信方法によっては、各通信端末についてのパス位置が異なることについて説明する。図１９は、基地局ＢＳが無指向性送信している場合について示している。無指向性送信の場合、基地局ＢＳから通信端末Ｕ−１に送信した信号と、通信端末Ｕ−２に送った信号は、送信点と受信点が同一なので、通信端末Ｕ−１から見た、他の通信端末Ｕ−２のパス位置は通信端末Ｕ−１のパス位置と同一である。
【０１２７】
これに対して、図２０に示すように、基地局ＢＳが指向性送信をしている場合は、基地局ＢＳが通信端末Ｕ−１に指向性を向けて送信し、かつ通信端末Ｕ−２に対しても指向性を向けて送信しているとすると、点線で示すパスが通信端末Ｕ−１でも受信される。従って、通信端末Ｕ−１は他局である通信端末Ｕ−２の位置（指向性）が移動することで、異なる素波が受信される可能性が高くなる。その結果、通信端末間でのパス位置が異なってくる。よって、通信端末間でのパス位置が異なるため、通信端末間の検出窓幅内のマスクの仕方自体の信頼性が低くなるおそれがある。
【０１２８】
まとめると図２１のようになる。図２１（ｂ）に示すように、基地局が通信チャネルを無指向性送信する場合には、タイムスロットＴＳ♯０で制御チャネルを受信して得たパス位置とタイムスロットＴＳ♯３で通信チャネルを受信して得たパス位置は同一となる。すなわちスロット間のパス位置が同一となる。加えて、タイムスロットＴＳ♯３で通信チャネルを受信して得た、各通信端末間でのパス位置も同一となる。
【０１２９】
これに対して、図２１（ｃ）に示すように、基地局が通信チャネルを指向性送信する場合には、タイムスロットＴＳ♯０で制御チャネルを受信して得たパス位置とタイムスロットＴＳ♯３で通信チャネルを受信して得たパス位置は異なる。すなわちスロット間のパス位置が異なる。加えて、タイムスロットＴＳ♯３で通信チャネルを受信して得た、各通信端末間でのパス位置も異なる。
【０１３０】
このように、基地局がセル内の通信端末に指向性送信を行った場合、各検出窓内に現れるパス位置は、タイムスロット間で異なる可能性があり、かつ通信端末間で異なる可能性がある。
【０１３１】
この実施の形態の通信端末装置５００では、これを考慮して、無指向性送信判定部５０１を設け、基地局の送信方法が無指向性か指向性かを見分けるようになされている。無指向性送信判定部５０１の判定処理について、図２２を用いて説明する。
【０１３２】
図２２（ａ）は、タイムスロットＴＳ♯０で受信された制御チャネルの遅延プロファイルを示し、２パスの場合の例である。図２２（ｂ）は、タイムスロットＴＳ♯３で受信された通信チャネルの遅延プロファイルを示す。
【０１３３】
無指向性送信判定部５０１は、パス位置が全て同じかどうかを検出することにより、無指向性送信された信号か指向性送信された信号かを判定する。具体的には、図２２（ａ）に示すタイムスロットＴＳ＃０の１パス目、２パス目の通信端末ｕｓｅｒ♯１の検出窓の先頭からのパスタイミングをそれぞれτ０，１、τ０，２とし、図２２（ｂ）に示す通信チャネルであるタイムスロットＴＳ♯Ｎの遅延プロファイルにおける通信端末ｋの１パス目、２パス目のパスタイミングをそれぞれτｋ、１、τｋ、２とする。
【０１３４】
このとき、無指向性送信判定部５０１は、τ０，１≒τｋ，１かつτ０，２≒τｋ，２の場合には無指向性送信と判定し、τ０，１≠τｋ，１またはτ０，２≠τｋ，２の場合には指向性送信と判定する。つまり、無指向性送信判定部５０１は、異なるタイムスロット間で１パス目および２パス目のパス位置がそれぞれほぼ一致してれば、基地局の送信方法が無指向性送信であると判定し、一致していなければ指向性送信と判定する。
【０１３５】
無指向性送信判定部５０１は、判定結果を誤動作防止パス選択部５０２に送出する。誤動作防止パス選択部５０２は、無指向性送信であることを示す判定結果を入力した場合には、上述した実施の形態３と同様の処理を行う。これに対して、誤動作防止パス選択部５０２は、指向性送信であることを示す判定結果を入力した場合には、マスクするα＋Δｔの区間を広げるようにする。
【０１３６】
つまり、指向性送信の場合には、タイムスロットＴＳ♯０のパスを元に設定した領域α＋Δｔを、異なるタイムスロットＴＳ♯３に適用すると、隣の通信端末ｋ−１のパスが漏れこむ可能性のあるα＋Δｔの区間の信頼性が低くなる。これを考慮して、この実施の形態では、指向性送信の場合には、Δｔにβというマージンを持たせた、拡張したα＋Δｔ’の区間は無条件で０にマスクする処理を行うようにする。因みにΔｔ’は、Δｔ’＝Δｔ＋βで表される値とする。通信端末装置５００の他の処理は、実施の形態３で述べた通信端末装置３００の処理と同様である。
【０１３７】
次にこの実施の形態の通信端末装置５００の動作を、図２３を用いて説明する。図１３との対応部分に同一符号を付して示す図２３において、通信端末装置５００は、ステップＳＴ３０１でユーザ有無検出部３０１によりコードシフトで１つ前の通信端末ｕｓｅｒ♯ｋ−１が存在しないと判断すると、ステップＳＴ１０５に移って検出窓幅ＷＮの全領域を使ってパスを選択する。これに対してステップＳＴ３０１でユーザ有無検出部３０１によりコードシフトで１つ前の通信端末ｕｓｅｒ♯ｋ−１が存在すると判断すると、ステップＳＴ５０１に移る。
【０１３８】
ステップＳＴ５０１では、無指向性送信判定部５０１が、上述したように、異なるタイムスロット間でのパスがほぼ一致しているか否かを検出することで、基地局の送信方法が無指向性送信であるか指向性送信であるかを判定する。
【０１３９】
そしてステップＳＴ５０１で無指向性送信であると判断すると、ステップＳＴ１０８に移り、誤動作防止パス選択部５０２が検出窓０〜ＷＮの中で遅延広がりの影響の無い領域α＋Δｔ’〜ＷＮでのパス選択を行い、続くステップＳＴ１０９において、遅延広がりの影響のある領域０〜α＋Δｔ’を無条件に０にマスクすると共に、ステップＳＴ１０８でパス選択されない部分を０にマスクする。因みに、ステップＳＴ５０１からステップＳＴ１０８に移った場合には、Δｔ’＝Δｔとする。
【０１４０】
これに対して、通信端末装置５００は、ステップＳＴ５０１で指向性送信であると判断すると、ステップＳＴ５０２に移り、マージンΔｔ’をΔｔ’＝Δｔ＋β（β＞０）に拡張し、ステップＳＴ５０３に移る。以下、ステップＳＴ１０８及びステップＳＴ１０９では、拡張した領域０〜α＋Δｔ’についてはパス選択処理を行わないようにする。
【０１４１】
このようにして、通信端末装置５００は、基地局が指向性送信していると判断すると、パス選択を行わない領域を広げるようにする。この結果、基地局が指向性送信した際のパス誤検出の可能性を低減することができるようになる。
【０１４２】
以上の構成によれば、窓幅越え検出部１１０によって受信信号の遅延広がりが検出窓を越えているか否か及び越えている場合にはその遅延量αを検出し、検出窓を越えた遅延広がりの遅延量αに応じてパス選択を行わない領域α＋Δｔを設けると共に、指向性送信が行われている場合には当該パス検出を行わない領域α＋Δｔを広げるようにしたことにより、実施の形態１や実施の形態３の効果に加えて、一段とパス誤検出の可能性を低減することができる。この結果、基地局の送信方法に依存せず、安定的に高品質の受信信号を得ることができるようになる。
【０１４３】
なおこの実施の形態では、無指向性送信判定部５０１を設け、異なるタイムスロット間で現れる遅延プロファイルのパス位置に基づいて、無指向性送信が行われているか指向性送信が行われているかを判定する場合について述べたが、これに限らない。例えば基地局がセル固有情報として、無指向性送信を行っているか指向性送信を行っているかを示す信号を送信している場合には、通信端末装置でこの信号を受信して判断するようにしてもよい。
【０１４４】
またこの実施の形態では、この実施の形態の特徴である指向性送信が行われている場合に当該パス検出を行わない領域を広げる構成を、実施の形態３の特徴である１つ前の検出窓に通信端末が割り当てられていない場合にパス検出を行わない領域を設けずに検出窓内の全領域でパス検出処理を行う構成と組み合わせて説明したが、これに限らない。例えば実施の形態１や実施の形態２、実施の形態４の構成と組み合わせても実現できる。
【０１４５】
（実施の形態６）
この実施の形態の通信端末は、上述した実施の形態１〜５の特徴部分の構成を全て有する。すなわちこの実施の形態の通信端末装置は、図２４に示すように、実施の形態１〜５で説明した全ての構成を備えている。そして各構成部分の機能は、実施の形態１〜５で説明したのとほぼ同じなので、ここでは詳しい説明は省略する。
【０１４６】
但し、この実施の形態の通信端末装置６００は、遅延広がりの影響のある領域α＋Δｔ’に現れるパスが、対応する検出窓の通信端末のものか否かを判定するために、チャネライゼーションコードを使ってデータ部を逆拡散するための、相関部２０３、電力化部２０４及びパス判定部２０５が多数設けられている。この実施の形態の場合には、想定される最大パス分だけ設けられている。
【０１４７】
これにより、高速にかつ多くのパスを検出することができるようになる。特に、通信端末装置６００は、無指向性送信判定部５０１により指向性送信が行われていると判定した場合には、誤動作防止パス選択部６０１において、遅延広がりの影響がある領域α＋Δｔ’を広めに設定するため、この領域α＋Δｔ’で検出されるパス数が多くなる可能性が高い。領域α＋Δｔ’で多くのパスが検出されると、相関部２０３、電力化部２０４及びパス判定部２０５での処理量が多くなる。
【０１４８】
これを考慮して、この実施の形態では、相関部２０３、電力化部２０４及びパス判定部２０５を、想定される最大パス数分だけ設けることにより、拡張した領域α＋Δｔ’でのパス選択処理を良好に行うことができるようになされている。
【０１４９】
図２５に、遅延広がりの影響がある領域αを拡張した領域α＋Δｔ’でのパス選択の様子を示す。図２５（ａ）に示すように、窓幅越え検出部１１０により検出窓幅ＷＮを越えるパスが検出される。そして無指向性送信判定部５０１により指向性送信が行われていると判定されると、図２５（ｂ）に示すように、誤動作防止パス選択部６０１が遅延広がりの影響のある領域αを拡張した領域α＋Δｔ’内でパスを検出する。
【０１５０】
続いて、図２５（ｃ）に示すように、誤動作防止パス選択部６０１により検出された複数パスの各タイミングで、相関部２０３、電力化部２０４及びパス判定部２０５がデータ部に対してスクランブリングコード及びチャネライゼーションコードを用いた逆拡散処理を行うことで、複数のパスの中から実際に検出窓に対応する通信端末のパスのみを選択する。
【０１５１】
次に、この実施の形態の通信端末装置６００の動作について、図２６を用いて説明する。図５、図９、図１３、図１５、図２３との対応部分に同一符号を付して示す図２６において、通信端末装置６００はステップＳＴ５０１で指向性送信が行われていると判断すると、ステップＳＴ６０１に移って、最大（ＭＡＸ）パス数を増大させることにより、動作させる相関部２０３、電力化部２０４及びパス判定部２０５の数を増やし、ステップＳＴ２０２に進む。この結果、ステップＳＴ２０２では、指向性送信を考慮して広めに設定した、遅延広がりの影響がある領域α＋Δｔ’内に多数のパスが存在してもこれを高速でかつ最大限に検出することができるようになる。
【０１５２】
以上の構成によれば、実施の形態５での効果に加えて、指向性送信の場合に漏れ込むパスの広がりを考慮した領域α＋Δ’を設けた際に、この領域α＋Δｔ’に多数のパスが存在してもこれを高速かつ最大限に検出することができるといった効果を得ることができる。この結果、干渉除去部１１６での干渉除去効果を増大させることができ、かつパスダイバーシチ効果の低下も回避できる。さらに、ユーザ有無検出部３０１を設けたことにより、複数の相関部２０３、電力化部２０４及びパス判定部２０５を隣の検出窓に割り当てられた通信端末ｋ−１が存在する場合のみ動作させるようにしているので、消費電流を低減し得、この結果通話時間を増大させる効果がある。
【０１５３】
【発明の効果】
以上説明したように、本発明によれば、受信信号に含まれる複数のミッドアンブル信号と、予め用意されたセル固有のベーシックミッドアンブルコードとの相関をとったときに、時系列的に現れる自局宛及び他局宛の信号の遅延プロファイルに基づき自局宛及び他局宛の信号のパス選択を行うにあたって、受信信号のパスの遅延広がりに応じて、パス選択の範囲又はパス選択の仕方を適応的に設定するようにしたことにより、受信ミッドアンブル信号から各通信端末宛の信号のパスを的確に検出し得るパス検出装置を実現できる。この結果、パス検出装置により的確に検出された各通信端末宛の信号のパス情報を用いて、干渉成分を除去できるので、品質の良い自局宛の信号を得ることができる通信端末装置を実現できる。
【図面の簡単な説明】
【図１】本発明の実施の形態１に係る通信端末装置の構成を示すブロック図
【図２】各タイムスロットでの遅延プロファイルを示す図
【図３】実施の形態１の通信端末装置により選択されるパスの説明に供する図
【図４】実施の形態でのスロット構成の説明に供する図
【図５】実施の形態１の動作の説明に供するフローチャート
【図６】実施の形態２の通信端末装置の構成を示すブロック図
【図７】各タイムスロットでの遅延プロファイルを示す図
【図８】実施の形態２のパス選択の説明に供する図
【図９】実施の形態２の動作の説明に供するフローチャート
【図１０】実施の形態３の概略説明に供する各タイムスロットでの遅延プロファイルを示す図
【図１１】実施の形態３の通信端末装置の構成を示す図
【図１２】誤動作防止パス選択をオンオフ制御する状況を示す図
【図１３】実施の形態３の動作の説明に供するフローチャート
【図１４】実施の形態４の通信端末装置の構成を示すブロック図
【図１５】実施の形態４の動作の説明に供するフローチャート
【図１６】実施の形態５の通信端末装置の構成を示すブロック図
【図１７】制御チャネルを無指向性送信した場合の伝搬路を示す図
【図１８】通信チャネルを指向性送信した場合の伝搬路を示す図
【図１９】通信チャネルを無指向性送信した場合の伝搬路を示す図
【図２０】通信チャネルを指向性送信した場合の伝搬路を示す図
【図２１】無指向性送信及び指向性送信した場合のタイムスロット間、検出窓（通信端末）間のパス位置の違いを説明するための図
【図２２】実施の形態５での無指向性送信と指向性送信との識別条件の説明に供する図
【図２３】実施の形態５の動作の説明に供するフローチャート
【図２４】実施の形態６の通信端末装置の構成を示す図
【図２５】実施の形態６の通信端末装置によるパス選択の説明に供する図
【図２６】実施の形態６の動作の説明に供する図
【図２７】通信端末装置が用いられる移動体通信システムの説明に供する図
【図２８】１タイムスロットでのミッドアンブルコードの配置を示す図
【図２９】ミッドアンブルコードの生成の説明に供する図
【図３０】通信端末で生成される遅延プロファイルと検出窓の説明に供する図
【図３１】隣接する検出窓へのパスの漏れ込みの説明に供する図
【符号の説明】
１００、２００、３００、４００、５００、６００  通信端末装置
１０８  マッチトフィルタ（ＭＦ）
１１０  窓幅越え検出部
１１２  パス選択部
１１３、２０１、３０２、４０１、５０２、６０１  誤動作防止パス選択部
１１６  干渉除去部
２０３  相関部
２０４  電力化部
２０５  パス判定部
３０１  ユーザ有無検出部
５０１  無指向性送信判定部
【図１】
0003559268.tif 000002
【図２】
0003559268.tif 000003
【図３】
0003559268.tif 000004
【図４】
0003559268.tif 000005
【図５】
0003559268.tif 000006
【図６】
0003559268.tif 000007
【図７】
0003559268.tif 000008
【図８】
0003559268.tif 000009
【図９】
0003559268.tif 000010
【図１０】
0003559268.tif 000011
【図１１】
0003559268.tif 000012
【図１２】
0003559268.tif 000013
【図１３】
0003559268.tif 000014
【図１４】
0003559268.tif 000015
【図１５】
0003559268.tif 000016
【図１６】
0003559268.tif 000017
【図１７】
0003559268.tif 000018
【図１８】
0003559268.tif 000019
【図１９】
0003559268.tif 000020
【図２０】
0003559268.tif 000021
【図２１】
0003559268.tif 000022
【図２２】
0003559268.tif 000023
【図２３】
0003559268.tif 000024
【図２４】
0003559268.tif 000025
【図２５】
0003559268.tif 000026
【図２６】
0003559268.tif 000027
【図２７】
0003559268.tif 000028
【図２８】
0003559268.tif 000029
【図２９】
0003559268.tif 000030
【図３０】
0003559268.tif 000031
【図３１】
0003559268.tif 000032